(57)【要約】【課題】  平面的と立体的の両方のラベルとして使用可能であり、ラベルの貼着装置により高速で貼着可能な起き上がりラベルを提供する。【解決手段】  適度な弾力性を有し任意の形状にカットされたシート本体１２から成り、シート本体１２の中心よりも周縁部に近い部分に形成されているとともに、周縁部１２ｃに向かって凸状になるように湾曲または屈曲して形成されシート本体１２内に両端が位置した切込線１６を有する。切込線１６と周縁部１２ｃの間に、糊付け部２０を有する。切込線１６の両端部には小さい湾曲部１７が形成され、切込線１６で囲まれた部分の外側に糊付け部２０が位置する。切込線１６で囲まれた部分が支持部として糊付け部２０とともにシート本体１６の他の部分を起立状態で支える。【選択図】図１
2007017725.tif 000002
【特許請求の範囲】
【請求項１】
適度な弾力性を有し任意の形状にカットされたシート本体と、前記シート本体の中心よりも周縁部に近い部分に形成され前記周縁部に向かって凸状になるように湾曲または屈曲して形成され前記シート本体内に両端が位置した切込線と、前記切込線と前記周縁部の間に設けられた糊付け部を備え、前記切込線で囲まれた部分が支持部として前記糊付け部とともに前記シート本体の他の部分を起立状態で支えることを特徴とする起き上がりラベル。
【請求項２】
前記切込線の両端部には小さい湾曲部が形成され、前記切込線で囲まれた部分の外側に前記糊付け部が設けられたことを特徴とする請求項１記載の起き上がりラベル。
【発明の詳細な説明】
【技術分野】
【０００１】
この発明は、商品や包装用箱に貼付され、商品説明や広告効果等を発揮させる起き上がりラベルに関する。
【背景技術】
【０００２】
従来、商品に貼付するラベルは、貼着シートに商品名や商品の効果等を印刷して所定形状にカットし、商品や包装用箱の正面や上面に貼着していた。また、商品の外側や上方に突出する立体ラベルもあった。しかし、このような立体ラベルは、保管や運搬の際に邪魔であり、店頭に陳列する前にラベルが破損したり折れ曲がったりして機能しなくなる場合もあった。さらに、保管や運搬の際も、スペースが余分に必要であり不便であった。
【０００３】
この問題を解決するために、保管や運搬の際には寝かせておくことが可能な立体ラベルが考えられている。例えば、特許文献１に開示されているアテンションラベルは、商品名等が印刷されたシート状のラベルに、帯状のアーム部が一対の切込線で形成されている。アーム部は、ラベルの周縁部から平行にラベルのほぼ中心に達している。そして、ラベル周縁部のアーム部先端には、粘着剤が設けられている。粘着剤は、ラベルの表側に塗布され、アーム部の基端部にある折り曲げ線に沿ってアーム部をラベルの裏側に折返し、先端部表側の粘着剤を介して商品等の上面に貼着する。
【０００４】
このアテンションラベルの使用方法は、起こした状態で商品の上面に貼付され、保管や運搬の際にはこのアテンションラベルの上に商品が積層されている。そして店頭に陳列するときは、シートの剛性及び弾性により、このアテンションラベルは復元性を有するため、商品から起き上がって３次元の立体ラベルとなる。
【特許文献１】特開２０００−２７６０４８号公報
【発明の開示】
【発明が解決しようとする課題】
【０００５】
上記従来の技術の場合、商品を積層するなどして押さえなければ、アテンションラベルのアーム部の復元性により自動的に立体ラベルとなり、平面的なラベルとしては使用できないものである。また、アーム部はラベルの端縁部から切り込まれて形成され、アーム部が切込線とラベルの端縁部との間が分離されているため、商品に貼着した後、他のものに当たって、容易にラベルが剥がれたり折れ曲がったりするおそれがある。また、商品にアテンションラベルを自動的に貼着する装置を使う際に、このアーム部やその周囲のラベルが捲れたりして装置の一部に引っかかりやすく、歩留まりを低下させる等の不具合が生じやすかった。
【０００６】
この発明は、上記従来の技術の問題点に鑑みてなされたものであり、平面的と立体的の両方のラベルとして使用可能であり、ラベルの貼着装置により高速で貼着可能な起き上がりラベルを提供することを目的とする。
【課題を解決するための手段】
【０００７】
本発明は、適度な弾力性を有し任意の形状にカットされたシート本体と、前記シート本体の中心よりも周縁部に近い部分に形成されているとともに、前記周縁部に向かって凸状になるように湾曲または屈曲して形成され、前記シート本体内に両端が位置した切込線と、前記切込線と前記周縁部の間に設けられた糊付け部を備え、前記切込線で囲まれた部分が支持部として前記糊付け部とともに前記シート本体の他の部分を起立状態で支える起き上がりラベルである。
【０００８】
また、前記切込線の両端部には小さい湾曲部が形成され、前記切込線で囲まれた部分の外側に前記糊付け部が設けられたものである。
【発明の効果】
【０００９】
本発明の起き上がりラベルは、商品に取り付けて平面的と立体的の両方のラベルとして使用可能であり、立体的に起こして表示すると、正面から見やすくて消費者に強い印象を与えることができる。また、自動的に貼着する装置により、高速で円滑に貼着することが可能であり、作業効率が良い。
【発明を実施するための最良の形態】
【００１０】
以下、この発明の実施形態について図面に基づいて説明する。図１、図２はこの発明の一実施形態を示すもので、この実施形態の起き上がりラベル１０は、円形のシート本体１２が設けられている。シート本体１２の素材は、プラスチック、紙、紙とプラスチックの複合シート等である。
【００１１】
シート本体１２の表面１２ａには、商品名やマーク、商品の効果などの商品説明を記した印刷部１４が設けられている。シート本体１２が透明な場合は、印刷部１４を裏面１２ｂに設けて表面１２ａから透過しても良い。シート本体１２には、シート本体１２の中心よりも周縁部１２ｃに近い部分に、切込線１６が設けられている。切込線１６は、前記シート本体１２の中心から周縁部１２ｃに向かう方向にＵ字形に湾曲する形状である。切込線１６に囲まれた舌片状の部分は、起き上がりラベル１０が自立するように保持する支持部１８となる。切込線１６の両端部には、シート本体１２の周縁部１２ｃに向かって小さく湾曲しながら折り返された湾曲部１７が設けられている。これにより、切込線１６の端部からシート本体１２へ亀裂が入るのを防止している。
【００１２】
シート本体１２の裏面１２ｂには、シート本体１２の切込線１６と周縁部１２ｃの間に、糊付け部２０が設けられている。糊付け部２０は、粘着剤が塗布され切込線１６近傍に位置し、接線方向の直線で区切られた半月状に形成されている。糊付け部２０の粘着剤には、未使用時には剥離紙が貼り付けられている。
【００１３】
次に、この実施形態の起き上がりラベル１０の使用方法について図２に基づいて説明する。被貼着物である包装用箱に入れられた商品２２があり、商品２２の上面２２ａに起き上がりラベル１０を貼付する。貼付方法は、シート本体１２の裏面１２ｂに設けられた糊付け部２０の粘着剤により、商品２２の上面２２ａにシート本体１２を重ねるようにして貼付する。そして、起き上がりラベル１０を搬送または保管する場合等には、平面的なラベルとして商品２２の上面２２ａに重ねた状態のままとする。また、店頭で平面的な表示ラベルとして使用する場合も、シート本体１２の表面１２ａが外側に向いているため、そのままの状態で印刷部１４の文字を消費者が読むことができる。
【００１４】
また、店頭に陳列し、立体ラベルとして使用するときは、シート本体１２を、支持部１８と反対側から引き起こし、支持部１８をシート本体１２の裏面１２ｂ側に弾性変形させて軽く折り曲げ、商品２２の上面２２ａに当接させる。そうすると支持部１８の弾性力によってシート本体１２は支えられ、商品２２の上面２２ａに自立する。
【００１５】
この実施形態の起き上がりラベル１０によれば、簡単な形状であり、商品２２に取り付けて平面的及び立体的ラベルの両方の機能を選択的に使用可能である。そして、陳列場所等に合わせて、必要なときに立体的に起こして表示させることにより、垂直に起立して正面から見やすく、消費者に強い印象を与えることができる。また、立体的に起こしたときは、確実に安定して自立させることができる。シート本体１２の裏面１２ｂに糊付け部２０が設けられているため、平面的に使用するときも文字を表側から見ることができ、消費者が読むことができる。さらに、保管や運搬の際は、平面的な状態にしてスペースを最小にすることができ、便利である。シート本体１２の周縁部１２ｃには、突起や切込線が設けられておらず不安定な部分がないため、自動的に貼着する装置により、高速で大量に、そして不具合なく円滑に貼着することが可能であり、作業効率が良い。
【００１６】
なお、この実施形態の起き上がりラベル１０は、シート本体１２の形状は自由に変更可能であり、例えば、図３に示すように、一方向に長い矩形に形成されてもよい。この場合、糊付け部２０の形状は切込線１６と周縁部１２ｂの間で屈曲した形状となる。また、シート本体１２の形状は、図４に示すように、図３の矩形の、切込線１６と反対側の端部が、外側に突出する半円形に形成されたものでも良い。
【００１７】
この発明の起き上がりラベルは、上記実施の形態に限定されるものではなく、シート本体の形状や切込線の形状、切込線の個数は、商品から確実に自立するものであれば、自由に変更可能である。また、シート本体の素材や厚みは適度な弾力性と適度な剛性を有し、商品から確実に自立するものであれば、自由に変更可能である。貼付する商品は限定されず、いろいろなものに使用することができる。
【図面の簡単な説明】
【００１８】
【図１】この発明の一実施形態の起き上がりラベルの表面を示す正面図（ａ）と裏面を示す背面図（ｂ）である。
【図２】この実施形態の起き上がりラベルの使用状態を示す斜視図である。
【図３】この実施形態の起き上がりラベルの変形例を示す正面図（ａ）と背面図（ｂ）である。
【図４】この実施形態の起き上がりラベルの他の変形例を示す正面図（ａ）と背面図（ｂ）である。
【符号の説明】
【００１９】
１０  起き上がりラベル
１２  シート本体
１２ｃ  周縁部
１４  印刷部
１６  切込線
１７  湾曲部
１８  支持部
２０  糊付け部
【図１】
2007017725.tif 000003
【図２】
2007017725.tif 000004
【図３】
2007017725.tif 000005
【図４】
2007017725.tif 000006